(57)【要約】【課題】ノズルをシリンダから突出させたり、シリンダ内に収容したりする動作をよりスムーズにできる局部洗浄装置を提供する。【解決手段】局部洗浄装置１は、洗浄水が内部に供給されるシリンダ９０と、シリンダ９０内に摺動可能に設けられ、洗浄水の水圧によってシリンダ９０から突出するノズル８０と、ノズル８０の外周に巻かれた状態で、シリンダ９０の先端側に位置する内フランジ９１とノズル８０の後端側に位置する外フランジ８１との間に設けられ、ノズル８０をシリンダ９０内に引き込む付勢力をもつコイルバネ１０とを備える。  この局部洗浄装置１において、コイルバネ１０は、内フランジ９１側に２巻きの座巻が形成された先端側座巻部１１を有し、外フランジ８１側に２巻きの座巻が形成された後端側座巻部１２を有する。【選択図】図１
2007303098.tif 000002
【特許請求の範囲】
【請求項１】
洗浄水が内部に供給されるシリンダと、該シリンダ内に摺動可能に設けられ、該洗浄水の水圧によって該シリンダから突出するノズルと、該ノズルの外周に巻かれた状態で、該シリンダの先端側に位置する内フランジと該ノズルの後端側に位置する外フランジとの間に設けられ、該ノズルを該シリンダ内に引き込む付勢力をもつコイルバネとを備えた局部洗浄装置において、
前記コイルバネは、前記内フランジ側に、２巻き以上の座巻が形成された先端側座巻部を有することを特徴とする局部洗浄装置。
【請求項２】
前記コイルバネは、前記外フランジ側に、２巻き以上の座巻が形成された後端側座巻部を有する請求項１記載の局部洗浄装置。
【請求項３】
前記先端側座巻部及び前記後端側座巻部は、前記座巻の巻き数が同一である請求項２記載の局部洗浄装置。
【請求項４】
前記先端側座巻部は、前記座巻の巻き数が３巻き以上である請求項１乃至３のいずれか１項記載の局部洗浄装置。
【発明の詳細な説明】
【技術分野】
【０００１】
本発明は局部洗浄装置に関する。
【背景技術】
【０００２】
従来、図６及び図７に模式断面図を示すような局部洗浄装置１００が知られている（例えば、特許文献１、２）。この局部洗浄装置１００は、洗浄水が内部に供給されるシリンダ９０と、シリンダ９０内に摺動可能に設けられ、洗浄水の水圧によってシリンダ９０から突出するノズル８０と、ノズル８０の外周に巻かれた状態で、シリンダ９０の先端側に位置する内フランジ９１とノズル８０の後端側に位置する外フランジ８１との間に設けられ、ノズル８０をシリンダ９０内に引き込む付勢力をもつコイルバネ７０とを備える。
【０００３】
より詳しくは、シリンダ９０は、後端側（図６及び図７中、右上方をいう。以下、同じ。）から先端側（図６及び図７中、左下方をいう。以下、同じ。）に向かって、洗浄水供給配管（図示しない）が接続される接続部９４と、ノズル８０の外フランジ８１が収容される第１円筒部９３と、第１円筒部９３の先端側に形成され、第１円筒部９３よりも小径の第２円筒部９２と、第２円筒部９２の先端側の周縁に位置する内フランジ９１とにより構成されている。第１円筒部９３と第２円筒部９２との間には段部９５が形成され、内フランジ９１の中央にはノズル８０を挿通させる開口９１ａが形成されている。
【０００４】
ノズル８０の外フランジ８１の外周側は、シリンダ９０の第１円筒部９３の内筒面に摺動可能な状態で当接しており、図７に示すように、接続部９４と第１円筒部９３と外フランジ８１とでシリンダ室９０ａが構成されている。
【０００５】
ノズル８０には、外フランジ８１の後端面中央と、ノズル８０の先端側上面に穿孔されたノズル孔８０ａとを連通させる洗浄水噴出経路８２が形成されている。
【０００６】
コイルバネ７０は、特許文献１、２にも図示されているように、自然状態において、同一の巻径で先端から後端まで巻かれた円筒状のものである。このコイルバネ７０は、その付勢力が洗浄水の水圧に対抗するものであり、地域や時期によって水圧が変動したとしても（０．０６〜０．４ＭＰａ）、ノズル８０がシリンダ９０内で安定して作動するようにされている。このため、コイルバネ７０は、線径が０．３〜０．５ｍｍ程度と非常に細くされている。また、コイルバネ７０は、自然長が３００〜３５０ｍｍ程度と非常に長くされている一方、図６に示すように、ノズル８０がシリンダ９０内に収容された状態での圧縮長が１１０〜１２０ｍｍ程度とされ、図７に示すように、ノズル８０がシリンダ９０から突出した状態での圧縮長が２０〜３０ｍｍ程度とされている。このように、線径が細く、かつ圧縮ストロークの長いコイルバネ７０は、洗浄水の水圧によりノズルがシリンダ９０から突出するのに伴って圧縮され、洗浄水の水圧がなくなるとノズル８０をシリンダ９０内に押し戻すことが可能となっている。
【０００７】
このような構成である従来の局部洗浄装置１００は、洋風水洗式便器に適用され、使用者が局部を洗浄する際、下記のように機能する。
【０００８】
まず、洗浄水供給配管（図示しない）から接続部９４を介してシリンダ９０の内部のシリンダ室９０ａに洗浄水の供給が開始されると、洗浄水の水圧によってノズル８０がシリンダ９０内を摺動し、内フランジ９１と外フランジ８１との間に設けられたコイルバネ７０が圧縮される。その結果、ノズル８０は、外フランジ８１が段部９５に当て止まってシリンダ９０から突出した状態となり、洗浄水噴出経路８２を介してノズル孔８０ａから局部に向けて洗浄水を噴出する。そして、局部の洗浄が終了して洗浄水の供給が止まると、ノズル８０を突出させていた洗浄水の水圧がなくなり、圧縮されたコイルバネ７０の復元力によって、ノズル８０がシリンダ９０内に収容される。こうして、この局部洗浄装置１００は、局部を洗浄することができる。
【０００９】
【特許文献１】実開昭６３−１８５８５号公報
【特許文献２】特開平６−３４３５７８号公報
【発明の開示】
【発明が解決しようとする課題】
【００１０】
しかし、上記従来の局部洗浄装置１００においては、ノズル８０をシリンダ９０から突出させたり、シリンダ９０内に収容したりする動作をよりスムーズにしたいとの要望がある。
【００１１】
本発明は、上記従来の実情に鑑みてなされたものであって、ノズルをシリンダから突出させたり、シリンダ内に収容したりする動作をよりスムーズにできる局部洗浄装置を提供することを解決すべき課題としている。
【課題を解決するための手段】
【００１２】
発明者らは、上記課題解決のために鋭意試験研究を実施し、課題の原因がコイルバネ７０にあることを究明して本発明を完成するに至った。
【００１３】
すなわち、コイルバネ７０は、図８〜図１０に示すように、線径が細く、かつ圧縮ストロークの長い円筒状のものである。また、コイルバネ７０は、シリンダ９０内に収納された状態でも、内フランジ９１側である先端側（図８のＺ部、及び図１０）及び外フランジ８１側である後端側（図８のＹ部、及び図９）に、見かけ上バネとしての付勢力をもたない座巻が１巻き程度形成された先端側座巻部７１及び後端側座巻部７２を有するか、又は座巻すら有しないものである。
【００１４】
このコイルバネ７０が圧縮されると、先端側では、図１０に示すように、軸芯周りに回転トルクＲ０が発生する（コイルバネ７０が先端側に向かって時計回りに巻かれているときは、コイルバネ７０が圧縮されると、図１０に示すように、先端側で反時計回りに回転トルクＲ０が生じる。）。このため、この回転トルクＲ０が原因となって、ノズル８０のスムーズな動作が妨げられる。
【００１５】
より詳細には、図１１に示すように、ノズル８０が突出する際、コイルバネ７０が圧縮されると、回転トルクＲ０により、先端側座巻部７１が回転する傾向にあり、コイルバネ７０が伸縮を繰り返すと、先端側座巻部７１の端部７１ａが回転して、シリンダ９０の内フランジ９１の開口９１ａとノズル８０との隙間から端部７１ａが先端側に飛び出してしまう場合がある（図１１に示すＸ部）。この場合には、コイルバネ７０とノズル８０の外周との間に摺動抵抗が生じ、ノズル８０のスムーズな動作が妨げられる。
【００１６】
発明者らは、上記の原因究明により、本発明をするに至った。
【００１７】
本発明の局部洗浄装置は、洗浄水が内部に供給されるシリンダと、該シリンダ内に摺動可能に設けられ、該洗浄水の水圧によって該シリンダから突出するノズルと、該ノズルの外周に巻かれた状態で、該シリンダの先端側に位置する内フランジと該ノズルの後端側に位置する外フランジとの間に設けられ、該ノズルを該シリンダ内に引き込む付勢力をもつコイルバネとを備えた局部洗浄装置において、
前記コイルバネは、前記内フランジ側に、２巻き以上の座巻が形成された先端側座巻部を有することを特徴とする。
【００１８】
このような構成である本発明の局部洗浄装置は、洋風水洗式便器に適用され、使用者が局部を洗浄する際、下記のように機能する。
【００１９】
まず、シリンダの内部に洗浄水の供給が開始されると、洗浄水の水圧によってノズルがシリンダ内を摺動し、内フランジと外フランジとの間に設けられたコイルバネが圧縮される。その結果、ノズルは、シリンダから突出した状態となり、ノズルの先端から局部に向けて洗浄水を噴出する。そして、局部の洗浄が終了して洗浄水の供給が止まると、ノズルを突出させていた洗浄水の水圧がなくなり、圧縮されたコイルバネの復元力によって、ノズルがシリンダ内に収容される。こうして、この局部洗浄装置は、局部を洗浄することができる。
【００２０】
この間、この局部洗浄装置では、内フランジ側に、２巻き以上の座巻が形成された先端側座巻部を有するコイルバネを採用している。このため、この先端側座巻部では、２巻き以上の座巻のうち、１巻き以上でコイルバネを構成する線材が軸方向に密着した状態となる（つまり、線接触となっている）ことから、座巻が付勢力を発揮しないようにすることをより確実に実現できる。その結果、コイルバネが圧縮されても、コイルバネに生じる軸芯周りの回転トルクが先端側座巻部に伝わり難く、コイルバネは回転トルクにより先端側座巻部が回転する傾向が抑制される。このため、コイルバネが伸縮を繰り返しても先端側座巻部の端部が回転し難くなり、シリンダの内フランジの開口とノズルとの隙間から先端側座巻部の端部が先端側に飛び出してしまう事態が生じ難い。このため、この局部洗浄装置では、コイルバネとノズルの外周との間に摺動抵抗が生じ難く、ノズルが安定して動作する。
【００２１】
したがって、本発明の局部洗浄装置は、ノズルをシリンダから突出させたり、シリンダ内に収容したりする動作をよりスムーズにできる。
【００２２】
本発明の局部洗浄装置において、前記コイルバネは、前記外フランジ側に、２巻き以上の座巻が形成された後端側座巻部を有し得る。この場合、この後端側座巻部でも、２巻き以上の座巻のうち、１巻き以上で線材が軸方向に密着した状態となることから、座巻が付勢力を発揮しないようにすることをより確実に実現できる。その結果、コイルバネが圧縮されても、コイルバネに生じる軸芯周りの回転トルクが先端側座巻部に一層伝わり難い。このため、コイルバネは、回転トルクにより先端側座巻部が回転する傾向が一層抑制される。このため、この局部洗浄装置は、本発明の効果を確実に奏することができる。
【００２３】
本発明の局部洗浄装置において、前記先端側座巻部及び前記後端側座巻部は、前記座巻の巻き数が同一であることが好ましい。この場合には、コイルバネを組み付ける際に、向きを考慮しなくてもよくなり、作業性の向上及び製造コストの低廉化を図ることができる。また、コイルバネの製造も簡易化され、コイルバネの製造コストの高騰化を回避することができる。
【００２４】
本発明の局部洗浄装置において、前記先端側座巻部は、前記座巻の巻き数が３巻き以上であることが好ましい。この場合、先端側座巻部では、３巻き以上の座巻のうち、２巻き以上で線材が軸方向に密着した状態となることから、座巻が付勢力を発揮しないようにすることを一層確実に実現できる。なお、座巻の巻き数が多くなり過ぎると、コイルバネにおける付勢力を発揮しない部分の長さが長くなり過ぎるので、適当な巻き数を選択することが好ましい。
【発明を実施するための最良の形態】
【００２５】
以下、本発明を具体化した実施例１を図面を参照しつつ説明する。
【実施例１】
【００２６】
まず、図６及び図７を用いて、実施例１の局部洗浄装置１の構成を説明する。図６及び図７は、従来の局部洗浄装置１００の構成を示すものであるが、実施例１の局部洗浄装置１も、コイル７０の代わりに図１〜図３に詳細を示すコイル１０を採用すること以外は、従来の局部洗浄装置１００と基本的に同じ構成である。
【００２７】
実施例１の局部洗浄装置１は、図６及び図７に示す従来の局部洗浄装置１００と同様に、洗浄水が内部に供給されるシリンダ９０と、シリンダ９０内に摺動可能に設けられ、洗浄水の水圧によってシリンダ９０から突出するノズル８０と、ノズル８０の外周に巻かれた状態で、シリンダ９０の先端側に位置する内フランジ９１とノズル８０の後端側に位置する外フランジ８１との間に設けられ、ノズル８０をシリンダ９０内に引き込む付勢力をもつコイルバネ１０とを備える。シリンダ９０及びノズル８０の構成についての詳細な説明は、従来の局部洗浄装置１００と同様であるので省略する。
【００２８】
コイルバネ１０は、図１〜図３に示すように、自然状態において、同一の巻径（１０〜２０ｍｍ程度）で先端から後端まで巻かれた円筒状のものである。このコイルバネ１０は、その付勢力が洗浄水の水圧に対抗するものであり、地域や時期によって水圧が変動したとしても（０．０６〜０．４ＭＰａ）、ノズル８０がシリンダ９０内で安定して作動するようにされている。このため、コイルバネ１０は、線径が０．３〜０．５ｍｍ程度と非常に細くされている。また、コイルバネ１０は、自然長が３００〜３５０ｍｍ程度と非常に長くされている一方、図６に示すように、ノズル８０がシリンダ９０内に収容された状態での圧縮長が１１０〜１２０ｍｍ程度とされ、図７に示すように、ノズル８０がシリンダ９０から突出した状態での圧縮長が２０〜３０ｍｍ程度とされている。このように、線径が細く、かつ圧縮ストロークの長いコイルバネ１０は、洗浄水の水圧によりノズルがシリンダ９０から突出するのに伴って圧縮され、洗浄水の水圧がなくなるとノズル８０をシリンダ９０内に押し戻すことが可能となっている。
【００２９】
また、コイルバネ１０は、図１〜図３に示すように、内フランジ９１側である先端側（図１のＴ部、及び図３）及び外フランジ８１側である後端側（図１のＳ部、及び図２）に、先端側座巻部１１及び後端側座巻部１２を有している。そして、先端側座巻部１１及び後端側座巻部１２には、見かけ上バネとしての付勢力をもたない座巻が２巻き形成されている。
【００３０】
このようなコイルバネ１０が圧縮されると、先端側では、図３に示すように、軸芯周りに回転トルクＲ１が発生する（コイルバネ１０は、先端側に向かって時計回りに巻かれており、コイルバネ１０が圧縮されると、図３に示すように、先端側で反時計回りに回転トルクＲ１が生じる）。しかしながら、この回転トルクＲ１は、後述する理由により従来のコイルバネ７０において生じる上述の回転トルクＲ０よりも小さくなっている。
【００３１】
このような構成である実施例１の局部洗浄装置１は、洋風水洗式便器に適用され、使用者が局部を洗浄する際、下記のように機能する。
【００３２】
まず、図６に示す状態で、洗浄水供給配管（図示しない）から接続部９４を介してシリンダ９０の内部のシリンダ室９０ａに洗浄水の供給が開始されると、洗浄水の水圧によってノズル８０がシリンダ９０内を摺動し、内フランジ９１と外フランジ８１との間に設けられたコイルバネ１０が圧縮される。その結果、ノズル８０は、図７に示す状態となり、外フランジ８１が段部９５に当て止まってシリンダ９０から突出した状態となり、洗浄水噴出経路８２を介してノズル孔８０ａから局部に向けて洗浄水を噴出する。そして、局部の洗浄が終了して洗浄水の供給が止まると、ノズル８０を突出させていた洗浄水の水圧がなくなり、圧縮されたコイルバネ１０の復元力によって、ノズル８０がシリンダ９０内に収容され、図６に示す状態に戻る。こうして、この局部洗浄装置１は、局部を洗浄することができる。
【００３３】
この間、この局部洗浄装置１では、内フランジ９１側に、２巻き以上の座巻が形成された先端側座巻部１１を有するコイルバネ１０を採用している。このため、この先端側座巻部１１では、２巻き以上の座巻のうち、１巻き以上でコイルバネ１０を構成する線材が軸方向に密着した状態となっている（つまり、線接触となっている）ことから、座巻が付勢力を発揮しないようにすることをより確実に実現できている。その結果、図４に示すように、コイルバネ１０が圧縮されても、コイルバネ１０に生じる軸芯周りの回転トルクＲ１が先端側座巻部１１に伝わり難くなっており、コイルバネ１０は回転トルクＲ１により先端側座巻部１１が回転する傾向が抑制されている。このため、コイルバネ１０が伸縮を繰り返しても先端側座巻部１１の端部１１ａが回転し難くなっており、シリンダ９０の内フランジ９１の開口９１ａとノズル８０との隙間から先端側座巻部１１の端部１１ａが先端側に飛び出してしまう事態が生じ難くなっている。このため、この局部洗浄装置１では、コイルバネ１０とノズル８０の外周との間に摺動抵抗が生じ難く、ノズル８０が安定して動作する。
【００３４】
したがって、実施例１の局部洗浄装置１は、ノズル８０をシリンダ９０から突出させたり、シリンダ９０内に収容したりする動作をよりスムーズにできている。
【００３５】
また、この局部洗浄装置１において、コイルバネ１０は、外フランジ８１側に、２巻きの座巻が形成された後端側座巻部１１２を有している。このため、この後端側座巻部１２でも、２巻きの座巻のうち、１巻きで線材が軸方向に密着した状態となっていることから、座巻が付勢力を発揮しないようにすることをより確実に実現できている。その結果、コイルバネ１０が圧縮されても、コイルバネ１０に生じる軸芯周りの回転トルクＲ１が先端側座巻部１１に一層伝わり難くなっている。このため、コイルバネ１０は、回転トルクＲ１により先端側座巻部１１が回転する傾向が一層抑制されている。このため、この局部洗浄装置１は、本発明の効果を確実に奏することができている。
【００３６】
さらに、この局部洗浄装置１において、先端側座巻部１１及び後端側座巻部１２は、座巻の巻き数が２巻きで同一であることから、コイルバネ１０を組み付ける際に、向きを考慮しなくてもよくなっており、作業性の向上及び製造コストの低廉化を図ることができている。また、コイルバネ１０の製造も簡易化され、コイルバネ１０の製造コストの高騰化を回避することができている。
【００３７】
なお、実施例１の局部洗浄装置１において、コイルバネの先端側座巻部１１を、図５に示すように、３巻きの座巻きを有する先端側座巻部２１としてもよい。
【００３８】
この場合、先端側座巻部２１では、３巻きの座巻のうち２巻きで線材が軸方向に密着した状態となることから、座巻が付勢力を発揮しないようにすることを一層確実に実現できる。また、座巻の巻き数が多くなり過ぎて、コイルバネ１０における付勢力を発揮しない部分の長さが長くなり過ぎることもなくなっている。
【００３９】
以上において、本発明を実施例１に即して説明したが、本発明は上記実施例１に制限されるものではなく、その趣旨を逸脱しない範囲で適宜変更して適用できることはいうまでもない。
【産業上の利用可能性】
【００４０】
本発明は局部洗浄装置に利用可能である。
【図面の簡単な説明】
【００４１】
【図１】実施例１の局部洗浄装置に係り、自然状態のコイルバネを示す模式図である。
【図２】実施例１の局部洗浄装置に係り、図１のＳ部を示す要部拡大模式図である。
【図３】実施例１の局部洗浄装置に係り、図１のＴ部を示す要部拡大模式図である。
【図４】実施例１の局部洗浄装置に係り、ノズルがシリンダから突出した状態を示す要部拡大断面図である。
【図５】実施例１の局部洗浄装置に係り、図１のＴ部の変形例を示す要部拡大模式図である。
【図６】実施例１の局部洗浄装置及び従来の局部洗浄装置の模式断面図である（ノズルがシリンダ内に収容された状態）。
【図７】実施例１の局部洗浄装置及び従来の局部洗浄装置の模式断面図である（ノズルがシリンダから突出した状態）。
【図８】従来の局部洗浄装置に係り、自然状態のコイルバネを示す模式図である。
【図９】従来の局部洗浄装置に係り、図８のＹ部を示す要部拡大模式図である。
【図１０】従来の局部洗浄装置に係り、図８のＺ部を示す要部拡大模式図である。
【図１１】従来の局部洗浄装置に係り、ノズルがシリンダから突出した状態を示す要部拡大断面図である。
【符号の説明】
【００４２】
１、１００…局部洗浄装置
１０、７０…コイルバネ
１１、２１…先端側座巻部
１２…後端側座巻部
８０…ノズル
８１…外フランジ
９０…シリンダ
９１…内フランジ
【図１】
2007303098.tif 000003
【図２】
2007303098.tif 000004
【図３】
2007303098.tif 000005
【図４】
2007303098.tif 000006
【図５】
2007303098.tif 000007
【図６】
2007303098.tif 000008
【図７】
2007303098.tif 000009
【図８】
2007303098.tif 000010
【図９】
2007303098.tif 000011
【図１０】
2007303098.tif 000012
【図１１】
2007303098.tif 000013